(57)【要約】      （修正有）【課題】風呂敷で包んだように風情および利便性があり、かつ制作を容易にできる袋を提供する。【解決手段】袋１は、不織布製で合掌底サイドガセットとされた袋状の収容部１１と、収容部１１の開放側に不織布の延長部分として一体に形成された複数の結び片１２とを備える。結び片１２は、収容部１１および結び片１２を含む大きさの合掌底サイドガセット袋とされた袋基材に対し、開放側の端部と収容部１１となる部分の間に当該袋基材の深さ方向と平行な切込１４を入れることで形成される。【選択図】図１
0003186651.tif 000002
【実用新案登録請求の範囲】
【請求項１】
不織布製で合掌底サイドガセットとされた袋状の収容部と、
前記収容部の開放側に前記不織布の延長部分として一体に形成された複数の結び片とを備える
ことを特徴とする袋。
【請求項２】
請求項１に記載の袋において、
前記結び片は、前記収容部および前記結び片を含む大きさの合掌底サイドガセット袋とされた袋基材に対し、開放側の端部と前記収容部となる部分の間に当該袋基材の深さ方向と平行な切込を入れることで形成される
ことを特徴とする袋。
【請求項３】
請求項２に記載の袋において、
前記切込は、前記袋基材を形成する四周連続した面状部分のうち、一対の対向し合うガセット面部を除く他の一対の対向し合う側面部の幅方向の中央に設けられる
ことを特徴とする袋。
【請求項４】
請求項２に記載の袋において、
前記切込は、前記袋基材を形成する四周連続した面状部分のうち、一対の対向し合うガセット面部の幅方向の中央、および他の一対の対向し合う側面部の幅方向の中央に設けられる
ことを特徴とする袋。
【請求項５】
請求項２に記載の袋において、
前記切込は、前記袋基材の四隅部分に設けられる
ことを特徴とする袋。
【請求項６】
請求項１に記載の袋において、
前記結び片は、前記収容部の幅方向の大きさの底辺を有した三角形状または台形状とされ、前記収容部および前記結び片を含む大きさの合掌底サイドガセット袋とされた袋基材に対し、前記結び片を残すように余剰部分を削除することで形成される
ことを特徴とする袋。
【考案の詳細な説明】
【技術分野】
【０００１】
本考案は、袋に係り、例えば、おせちの重箱を収容するのに好適な袋に関する。  
【背景技術】
【０００２】
従来、おせちの重箱などは、風呂敷にて包まれることが一般的であるが、近年では、風呂敷で包むことに慣れておらず、包むのに手間がかかることから、風呂敷を使わずに重箱を容易に収容できる袋が提案されている（例えば、特許文献１）。  
【先行技術文献】
【特許文献】
【０００３】
【特許文献１】特開２００９−５１５６４号公報
【考案の概要】
【考案が解決しようとする課題】
【０００４】
しかしながら、特許文献１に記載の袋は、所謂巾着袋であり、風呂敷を結んだときにできる結び玉（結び目）が存在せず、風情がない。
しかも、近年では、おせちをスーパーマーケットやコンビニエンスストアで注文したり、インターネットで注文したりし、後日宅配便にて自宅に配送してもらう形態が多く、このような場合では、風呂敷で包まれた重箱が配送用の箱に梱包されている。そして、このような梱包用の箱から重箱をとり出す際には、その結び玉をつまんで取り出すことが便利であるが、特許文献１の袋では、開閉紐による締め上げ部分をつまむこととなり、締め上げ部分の大きさが十分に大きくないことでつまみ難く、利便性に欠ける。
【０００５】
また、特許文献１に記載の袋は、側壁部分が互いに重なり合う第１、第２側壁部で構成されるなど、構造が複雑であるうえ、巾着袋として機能させるための開閉紐を通す必要があり、制作に手間がかかるという問題がある。
【０００６】
本考案の目的は、風呂敷で包んだように風情および利便性があり、かつ制作を容易にできる袋を提供することにある。
【課題を解決するための手段】
【０００７】
本考案の袋は、不織布製で合掌底サイドガセット（ガセットをガゼットともいう）とされた袋状の収容部と、前記収容部の開放側に前記不織布の延長部分として一体に形成された複数の結び片とを備えることを特徴とする。
本考案によれば、重箱等の被収容物が収容部に収容されるが、この収容部には複数の結び片が一体に設けられているので、これらの結び片を結ぶことで、被収容物を風呂敷で包んだように、被収容物の上部に結び玉を形成することができ、粋な風情を醸し出すことができるうえ、この結び玉をつまんで持ち上げることができ、梱包用の箱内から取り出す際に便利である。
また、本考案の袋は基本的に、合掌底サイドガセットの袋であり、通常のガセット袋を制作する手順をそのまま流用でき、結び片を形成するためのわずかな手間が追加されるのみで、容易に制作できる。
【０００８】
本考案の袋では、前記結び片は、前記収容部および前記結び片を含む大きさの合掌底サイドガセット袋とされた袋基材に対し、開放側の端部と前記収容部となる部分の間に当該袋基材の深さ方向と平行な切込を入れることで形成されることが好ましい。
このような本考案によれば、袋基材に切込を入れるだけで結び片を簡単に形成できるとともに、袋基材からの削除部分等が生じないので、材料に無駄がない。
また、袋基材の四周全体を使って結び片が形成されるので、基端側から先端側にかけて幅に変化のない太めの結び片に形成できる。従って、被収容物をより安定した状態に結んでおくことが可能であり、結び玉もより大きくできる。
【０００９】
本考案の袋では、前記切込は、前記袋基材を形成する四周連続した面状部分のうち、一対の対向し合うガセット面部を除く他の一対の対向し合う側面部の幅方向の中央に設けられてもよく、前記袋基材を形成する四周連続した面状部分の四周面の面状部分のうち、一対の対向し合うガセット面部の幅方向の中央、および他の一対の対向し合う側面部の幅方向の中央に設けられてもよく、また、前記袋基材の四隅部分に設けられてもよい。
ここで、「幅方向」とは、袋の深さ方向と直交する方向をいう。
このような本考案によれば、結び片の形状が異なることから、結び終わりの見た目を異ならせることができ、趣向にあった結び終わりが得られるよう、結び片の形状を選択できる。
【００１０】
本考案の袋では、前記結び片は、前記収容部の幅方向の大きさの底辺を有した三角形状または台形状とされ、前記収容部および前記結び片を含む大きさの合掌底サイドガセット袋とされた袋基材に対し、前記結び片を残すように余剰部分を削除することで形成されてもよい。
本考案によれば、先端側に向けて先細りとなる三角形状または台形状の結び片が形成されるので、結ぶ際に結び片を扱い易くでき、作業性を向上させることができる。
【考案の効果】
【００１１】
本考案によれば、風呂敷で包んだように風情および利便性があり、かつ制作を容易にできる袋を提供可能である。
【図面の簡単な説明】
【００１２】
【図１】本考案の第１実施形態に係る袋を示す斜視図。
【図２】前記袋の制作手順を説明するための図であり、当該袋の使用前の状態を示す外観図。
【図３】前記袋の結び終えた状態を示す斜視図。
【図４】本考案の第２実施形態に係る袋を示す斜視図。
【図５】本考案の第３実施形態に係る袋を示す斜視図。
【図６】本考案の第４実施形態に係る袋を示す斜視図。
【図７】前記第４実施形態の袋の制作手順を説明するための図であり、当該袋の使用前の状態を示す外観図。
【考案を実施するための形態】
【００１３】
［第１実施形態］
以下、本考案の第１実施形態を図面に基づいて説明する。
図１において、袋１は、被収容物である複数段重ねられた重箱（本実施形態では３段重ね）５０を収容するものであり、不織布製で合掌底サイドガセットとされた袋状の収容部１１と、収容部１１の開放側に不織布の延長部分として一体に形成された複数（本実施形態では２つ）の結び片１２，１２とを備える。
【００１４】
不織布としては、例えばポリエステル、ポリプロピレン、ナイロン製などで、繊維径が１〜３ｄ（デニール）の長繊維からなり、見付け重量１５〜７０ｇ／ｍ２のものが、肌触り、風合い、および強度の面で重箱５０を収容するものとして好ましい。
なお、被収容物としては、重箱５０に限定されないが、全体形状が略直方体状あるいは略立方体状であれば、体よく収容可能である。
【００１５】
収容部１１は、重箱５０の高さに応じた深さの平面視略正方形である。収容部１１に重箱５０が収容された状態では、合掌底を形成するための直線状の合わせ部１３が収容部１１の下面を横切るように位置している。
ここで、合わせ部１３を形成する方法としては、超音波溶着、高周波溶着、ヒートシール、ウェルディング（ウェルダー）、縫製等の任意の方法を適用できる。
【００１６】
結び片１２は、図２（Ａ）に示す袋基材２０に対し、図２（Ｂ）に示すように、開放側の端部２２Ａと収容部１１となる部分の間に当該袋基材２０の深さ方向と平行な切込１４を入れることで、平面視で略コ時形状に形成される（図１）。このような結び片１２の基端側により、重箱５０の上面側が四周にわたって略隙間なく囲われる。このため、結び片１２を結び終わった状態では、重箱５０の上面などが結び片１２で確実に覆われ、露出しないようになっている。
【００１７】
具体的に袋基材２０は、図２（Ａ）に示すように、収容部１１および結び片１２を含む大きさの合掌底サイドガセット袋である。図１、図２（Ｂ）において、切込１４は、袋基材２０を形成する四周連続した面状部分のうち、一対の対向し合うガセット面部２１，２１を除く他の一対の対向し合う側面部２２，２２の幅方向の中央に設けられる。切込１４の上端は開放しており、切込１４の下端は重箱５０の上部近傍に達している。
なお、ガセット面部２１や側面部２２などについては、その符号を（  ）で囲んで図１、図２（Ｂ）にも示した。
【００１８】
以上説明した袋１は、収容部１１に重箱５０が収容された状態で、図３に示すように、結び片１２が結ばれる。図３において、結び片１２を結ぶことにより、重箱５０（図３では図示略）の上部には結び玉１５が形成され、風呂敷を用いたような結び終わりの状態となる。
【００１９】
以下には、袋１の制作手順について、図１、図２（Ａ）、（Ｂ）を参照しながら説明する。
先ず、図２（Ａ）に示すように、合掌底サイドガセット袋とされた袋基材２０を用意しておく。このような袋基材２０は、一般的なガセット袋と何ら変わりなく、周知の手順にて制作可能である。
【００２０】
次いで、袋基材２０を平たく畳まれた状態にしたまま、図２（Ｂ）に示すように、各側面部２２の幅方向の中央位置にて、開放側の端部２２Ａと収容部１１の上部に対応することとなる部分とにかけて切込１４を入れ、袋１を得る。この際、重なり合う各側面部２２に切込１４を一度に入れることが、作業効率を向上させるうえで好ましい。この後、畳まれた袋１を拡げることで、図１に示す状態となる。
【００２１】
なお、図２（Ａ）、（Ｂ）において点線で示す部分は、ガセット面部２１に表出する折返し部２１Ａ（図１）である。また、袋１の流通過程では、図２（Ｂ）のように、袋１が折り畳まれ、例えば数十枚から数百枚の単位で重ねられた状態とされる。
【００２２】
［第２実施形態］
図４には、本考案の第２実施形態が示されている。
本実施形態の袋１では、袋基材２０の側面部２２，２２およびガセット面部２１，２１の両方において、切込１４が設けられている点が、前述した第１実施形態とは構成が大きく異なる。このような本実施形態では、平面視Ｌ字形状の結び片１２が４つ設けられることとなる。他の構成については、第１実施形態と同じである。
このような本実施形態でも、本考案の前述した作用効果を得ることができる。
【００２３】
［第３実施形態］
図５には、本考案の第３実施形態が示されている。
本実施形態の袋１では、袋基材２０の四隅部分に設けられている点が、前述した第１実施形態とは構成が大きく異なる。このような本実施形態では、平面視で一直線状の結び片１２が４つ設けられる。そして、各結び片１２は、袋状とされた収容部１１の四周の各面状部分に対応して４つ設けられ、各面状部分の幅方向の大きさをそのまま有することとなる。他の構成については、第１実施形態と同じである。
このような本実施形態でも、本考案の前述した作用効果を得ることができる。
【００２４】
［第４実施形態］
図６には、本考案の第４実施形態が示されている。
本実施形態の袋１において、結び片１２は、収容部１１の幅方向の大きさの底辺を有した二等辺三角形状とされ、袋状の収容部１１の四周の各面状部分に対応して４つ設けられる。他の構成については、第１実施形態と同じである。
このような結び片１２は、図７（Ａ）に示すように、収容部１１および結び片１２を含む大きさの合掌底サイドガセット袋とされた袋基材２０に対し、図７（Ｂ）に示すように、三角形状の結び片１２を残すように切込みを入れ、余剰部分２３を削除することで形成される。
このような本実施形態でも、本考案の前述した作用効果を得ることができる。
【００２５】
なお、本考案は、前記第１〜第４実施形態に示されたものに限定されず、以下に示すような変形等は、本考案に含まれる。
例えば、前記第４実施形態では、結び片１２が三角形状であったが、台形状であってもよい。
また、収容部１１の高さや、収容部１１の底面の大きさ、あるいは結び片１２の大きさなどは、重箱５０すなわち被収容物の大きさに合わせて任意に変更可能であることは、勿論である。
【産業上の利用可能性】
【００２６】
本考案は、重箱等の被収容物を収容する袋として利用可能である。
【符号の説明】
【００２７】
１…袋、１１…収容部、１２…結び片、１４…切込、２０…袋基材、２１…ガセット面部、２２…側面部、２２Ａ…端部、２３…余剰部分。
【図１】
0003186651.tif 000003
【図２】
0003186651.tif 000004
【図３】
0003186651.tif 000005
【図４】
0003186651.tif 000006
【図５】
0003186651.tif 000007
【図６】
0003186651.tif 000008
【図７】
0003186651.tif 000009